(57)【要約】【課題】発熱リスクを伴わずに生体に設定した表面温度で接触的、持続的に長時間に加えることで局所の生体深部の加温精度が高められ、温熱療法の療法確立と応用が広がる。接触的な温熱が即座に冷却に切り替えられ、その冷却が接触的、持続的に任意の設定時間で加えられることで精度の高いアイシングまたは温熱と冷却を繰り返すコントラストセラピーが可能となる。【解決手段】本発明の生体温冷装置は生体に接触し生体を一定表面温度で設定時間を持続的に近赤外線ＬＥＤにより深部を温熱する。深部温熱と同時に生体表面をペルチェ素子により電子的に冷却する。あるいは深部温熱と表面冷却が各々設定された時間で交互に温熱と冷却を繰り返す。【選択図】図１
2011152243.tif 000002
【特許請求の範囲】
【請求項１】
近赤外線ＬＥＤを生体に対する温熱源、ペルチェ素子を生体とＬＥＤ素子発熱防止の冷却源として熱伝導性の高い透光素材あるいは断熱性の低い柔軟な透光素材透光材を介して生体に接触し近赤外線温熱、ペルチェ素子により電子冷却する装置
【請求項２】
上記請求項１の装置において温熱、冷却の温度制御をするための温度センサーが透光材中あるいは生体と接する透光材表面に設置され、近赤外線ＬＥＤとペルチェ素子のＯＮ／ＯＦＦ、投入電力レベルを調整し、生体表面温度に近似するセンサー温度の制御とその温度の保持時間を制御する時間制御器、制御の各種、光温熱、電子冷却、電子冷却しながらの近赤外線温熱、あるいは各々設定された時間で交互に近赤外線温熱とペルチェ素子電子冷却モードプログラムが付加された装置
【発明の詳細な説明】
【技術分野】
【０００１】
本発明は生体に接触して近赤外線温熱、ペルチェ素子により電子冷却を生体に加えることができる生体への温熱、冷却治療、理学療法、または健康美容技術に関するものである。
【０００２】
【特許文献１】特許開平２００９−２０７６０５号公報
【特許文献２】実用新案公開平６−４５９公報
【背景技術】
【０００３】
近年、ＬＥＤ開発の飛躍的な発展により従来ランプまたはレーザなどで行われていた光線による温熱は近赤外線を発生するＬＥＤで可能となった。近赤外線の波長は光の中で生体への最大の浸透性をもち、また静脈認証などに知られるように血管に吸収される。血管または筋肉の平滑筋に吸収されることも科学的に検証されている。このような理由で近赤外線を利用した温熱治療機器は常識的となり、ＬＥＤから発生する近赤外線を光学的に集光して加温効率を高めたり（特許開平２００９−２０７６０５）、ＬＥＤから発生する近赤外線の光を遠赤外線に変換する（実用新案公開平６−４５９）などの応用治療機器が存在する。目覚ましいＬＥＤ技術の発展は数Ｗ以上の高出力近赤外線ＬＥＤの市販化となり波長、出力でランプ、レーザに十分置き換えられるレベルになった。しかしながら効率の良いＬＥＤといえども高出力化は大きな発熱も伴う。ＬＥＤ光の生体への非接触照射ではその発熱は問題ならずいわゆるランプタイプの治療機器は諸外国においてすでに市販化されている。温熱治療に対局する冷却療法は伝統的には温罨ぽうに対する冷罨ぽうとして知られ、スポーツ医学などでは温熱シップ、冷水アイシングなどとして普及している。温水、冷水を組み合わせた療法は諸外国では理学療法の一つであるコントラストセラピーとしても知られている。
【発明の開示】
【発明が解決しようとする課題】
【０００４】
ＬＥＤの発生波長、出力、コストなどに飛躍的な発展が進んでいる。レーザなどに比べて生体浸透性の高い近赤外線ＬＥＤは市販されている。現在近赤外線ＬＥＤ温熱器として、生体に接触して照射してＬＥＤの発熱が問題となるほどの高出力のものはなく発生出力の問題から生体への応用は限られる。ランプ照射のような非接触的なＬＥＤによる近赤外線温熱では照射時間が長くなると生体表面温度が上昇し連続的な長時間の照射加温は困難である。照射部位への冷気吹き付けなどで冷却は可能であるが温度制御が正確に欠くこと、生体の乾燥をともない生理的に良い治療環境とは点で不十分である。また従来の冷水、冷タオル、アイスパックなどによる冷却治療は生体に接触し冷却はできるものの、生体表面温度を一定に持続的に保持することを保証するものではない。諸外国で常識的な温水、冷水により一定時間毎に生体に温熱、冷却を加えるコントラストセラピーも同様であり、一定の温熱温度、冷却温度それらを保持する時間の精度に欠ける。結果的に療法の効果測定と療法の術式の確立に困難をきたしている。
【課題を解決するための手段】
【０００５】
以上の課題を解決するための第一の発明は、近赤外線ＬＥＤ温熱源、ペルチェ素子を冷却源として透光素材を介して生体に接触し生体を近赤外線光温熱、ペルチェ素子電子冷却する装置である。第２の発明は温熱、冷却の温度制御するための温度センサーが透光材中あるいは生体と接する透光材表面に設置され、発熱するＬＥＤ素子の冷却を伴い近赤外線ＬＥＤ温熱またはペルチェ素子電子冷却単独で、あるいは近赤外線ＬＥＤ温熱とペルチェ素子電子冷却が同時に、あるいは各々設定された時間で交互に近赤外線ＬＥＤ温熱とペルチェ素子電子冷却などの制御ができるように温度と時間の制御器を有する装置である。
【発明の効果】
【０００６】
本発明品は高出力ＬＥＤ素子からの発熱による生体への火傷などのリスクを伴わずに高出力の近赤外線照射し、生体表面に近似したセンサー温度の設定値を持続的に保持する生体への温熱が可能である。結果的に局所の生体深部の加温精度が高められ、温熱療法の療法確立と応用が広がる。またペルチェ素子による電子冷却に切り替えられ近赤外線温熱部位を即座に冷却することが可能である。任意の設定時間で設定温度が持続的に加えられることで精度の高いアイシングまたは温熱と冷却の繰り返しを行うコントラストセラピーが可能となる。
【発明を実施するための最良の形態】
【０００７】
本発明の生体に対する近赤外線ＬＥＤ温熱、電子冷却装置は１の熱伝導性のよい１００の金属プリント基板上にパターン配置された複数の近赤外線ＬＥＤ素子層の発熱側に良好な熱伝導を保つように５の熱伝導性接着剤またはグリースを介してなどで２のペルチェ素子の１０４の冷却側に接触している。ペルチェ素子の１０３の発熱側は４の冷却チャンバーで冷却される。冷却チャンバーは１０１のクーラント入口と１０２のクーラント出口を経由して循環する液体クーラントにより徐熱される。液体クーラントはファン‐ラジエータで冷却される。ＬＥＤ素子層で発生した近赤外光は３の透光材を介して６の生体に接触照射される。生体に接触する透光材層のセンターの表面あるいは表面に近い透光材中に設置された７の温度センサーは１１の温度・時間の制御器に接続されている。８の近赤外線ＬＥＤ温熱とペルチェ素子電子冷却装置は９の温度・時間制御器、９のＬＥＤ電源と１０のペルチェ電源に電気的に接続されている。７の温度・時間制御器はセンサーで測定した温度を設定した温度に制御すべくＬＥＤ電源とペルチェ電源のＯＮ／ＯＦＦまたは出力レベルを制御し、設定温度と設定温度を保持する時間を制御する。
【０００８】
＜他の実施形態＞
実施の最良の形態で示された装置が複数組み合わされた装置は一度に広範囲の近赤外線ＬＥＤ温熱と電子冷却が可能である。また実施の最良の形態で示された装置でＬＥＤ出力を数１００Ｗ、電子冷却を数ＫＷとした大型の装置も実施可能である。
【実施例】
【０００９】
１個あたり０．５から１Ｗの光出力で波長８４０nmの近赤外線ＬＥＤ素子を複数が熱伝導性のよい金属プリント基板上にパターン配置されている。ペルチェ素子はＬＥＤ素子の総合出力に応じて１０−１００Ｗ程度のペルチェ素子となる。ペルチェ素子は気体−液体の熱交換器で冷却されたクーラントがペルチェ素子の発熱側に熱伝導性グリースを介して接触している冷却チャンバーに循環する。金属基板には熱伝導性の高いサファイア透光材が熱伝導性グリースを介して接触している。または金属基板に断熱性が少ない透光性シリコンゴムが形成されている。近赤外線光を反射する白色ウレタン樹脂コーティングされた１−２ｍｍ角程度の白金温度センサーがサファイアの場合は生体に接する表面にエポキシ樹脂などで設置されている。透光材がシリコンゴムの場合は生体に接する表面近くのゴム内に設置されている。生体深部の温度制御は不可能であるが近赤外線が照射される生体の表面温度を生体表面温度に近い３０−４０度前後に設定して１ヶ所当たり数分照射する。生体冷却はセンサー設定温度を２−５度Ｃ程度で１ヶ所当たり数分保持する。近赤外線を照射しないで２−５度Ｃの冷却と近赤外線を照射して設定温度を１０−４０度で、冷却３０秒、近赤外線照射３０秒を繰り返すコントラストセラピーのモードなどで施術される。
【図面の簡単な説明】
【００１０】
【図１】近赤外線ＬＥＤを生体に対する温熱源、ペルチェ素子を生体とＬＥＤ素子に対する冷却源として熱伝導性の高い透光素材あるいは断熱性の低い柔軟な透光素材透光材を介して生体に接触し生体を近赤外線光により温熱、ペルチェ素子により電子冷却する装置の断面図でありＬＥＤ素子の発熱面は接着性伝熱剤を介してペルチェ素子の冷却サイドに接している。ペルチェ素子の発熱側はヒートシンク、液体または気体流体による冷却が行われる。
【図２】近赤外線ＬＥＤ温熱とペルチェ素子電子冷却装置の外観図である。
【図３】ＬＥＤ素子の配置パターンの一例である。センターに７の温度センサーが配置される。
【図４】近赤外線ＬＥＤ温熱とペルチェ素子電子冷却装置と温度・時間制御器、ＬＥＤ電源、ペルチェ電源との電気的接続概略図である。
【図１】
2011152243.tif 000003
【図２】
2011152243.tif 000004
【図３】
2011152243.tif 000005
【図４】
2011152243.tif 000006
【手続補正書】
【提出日】平成22年2月4日(2010.2.4)
【手続補正１】
【補正対象書類名】特許請求の範囲
【補正対象項目名】請求項１
【補正方法】変更
【補正の内容】
【請求項１】
近赤外線ＬＥＤを生体に対する温熱源とし、あるいはペルチェ素子と組み合わせて生体とＬＥＤ素子発熱防止の冷却源として熱伝導性の高い透光素材あるいは断熱性の低い柔軟な透光素材透光材を介して生体に接触し生体を近赤外線温熱、あるいは近赤外線温熱とペルチェ素子による電子冷却をする装置
【手続補正２】
【補正対象書類名】特許請求の範囲
【補正対象項目名】請求項２
【補正方法】変更
【補正の内容】
【請求項２】
上記請求項１の装置において温熱あるいは、温熱と冷却の温度制御をするための温度センサーが透光材中あるいは生体と接する透光材表面に設置され、近赤外線ＬＥＤ、あるいは近赤外線ＬＥＤとペルチェ素子のＯＮ／ＯＦＦ、投入電力レベルを調整し、生体表面温度に近似するセンサー温度の制御とその温度の保持時間を制御する時間制御器、近赤外線温熱、電子冷却、電子冷却しながらの近赤外線温熱、あるいは各々設定された時間で交互に近赤外線温熱とペルチェ素子電子冷却モードプログラムが付加された装置